(57)【要約】【課題】例えば各種のビルや住宅等の建築物の耐震補強構造に係り、建築物を使用している状態でも短期間に且つ低コストで施工することができ、美観および開放感に優れた耐震補強構造を提供する。【解決手段】補強すべき建築物の開口部Ａ内に補強用構造体１を嵌め込み固定するようにした建築物の耐震補強構造において、上記補強用構造体１を少なくとも枠体２と、その枠体２内に斜め格子状に組み付けた多数の格子プレート３とで構成したことを特徴とする。【選択図】　　　　図１
2004019161.tif 000002
【特許請求の範囲】
【請求項１】
補強すべき建築物の開口部内に補強用構造体を嵌め込み固定するようにした建築物の耐震補強構造において、上記補強用構造体を少なくとも枠体と、その枠体内に斜め格子状に組み付けた多数の格子プレートとで構成したことを特徴とする建築物の耐震補強構造。
【発明の詳細な説明】
【０００１】
【発明の属する技術分野】
本発明は、例えば各種のビルや住宅等の建築物の耐震補強構造に関する。更に詳しくは、建築物の開口部内に補強用構造体を布設して補強する耐震補強構造に関するものである。
【０００２】
【従来の技術】
従来、上記のような建築物の耐震補強構造としては、建物内に耐震壁を増設したり、窓等の開口部に補強用構造体を建物外部から嵌め込み、これを開口部周囲の柱や梁に固定する、すなわち建物外部から施工する工法により耐震補強を行っていた。ところが、上記前者のような耐震壁の増設は、建物内の工事となり、騒音や粉塵が発生したり、工事中は建物内の使用ができなくなる等の問題がある。そのため、前記後者のように建物外部から施工する工法の需要が、特に病院や民間のビル、或いは庁舎などで高まっている。
【０００３】
しかしながら、従来の建物外部から施工する工法は、例えば図９に示すように窓等の開口部Ａ内に補強用構造体として一般にＨ型鋼材からなる図のようなブレースＢを用いているため、重々しい感じがして美観に欠け、またＨ型鋼の幅や厚みによって開口率が低下し、開放感が損なわれる等のデメリットがあり、これによって施主に敬遠され勝ちであった。
【０００４】
【発明が解決しようとする課題】
本発明は上記の問題点に鑑みて提案されたもので、建築物を使用している状態でも短期間に且つ低コストで施工することができ、美観および開放感に優れた建築物の耐震補強構造を提供することを目的とする。
【０００５】
【課題を解決するための手段】
上記の目的を達成するために本発明による建築物の耐震補強構造は、以下の構成としたものである。即ち、補強すべき建築物の開口部内に補強用構造体を嵌め込み固定するようにした建築物の耐震補強構造において、上記補強用構造体を少なくとも枠体と、その枠体内に斜め格子状に組み付けた多数の格子プレートとで構成したことを特徴とする。
【０００６】
【発明の実施の形態】
以下、本発明による建築物の耐震補強構造を、既設建築物の窓等の開口部に適用した場合を例にして図に示す実施形態に基づいて具体的に説明する。
【０００７】
図１は本発明による耐震補強構造の一実施形態を示す正面図、図２（ａ）および（ｂ）はそれぞれ図１におけるａ−ａおよびｂ−ｂ線断面図である。
図において、１は既設建築物の窓等の開口部Ａ内に嵌め込み固定した補強用構造体で、その構造体１は、図３に示すように略方形の枠体２を構成する４つの枠用プレート２ａ〜２ｄと、その枠体２内に斜め格子状に組み付けた多数の格子プレート３等で構成されている。それらの枠用プレート２ａ〜２ｄおよび格子プレート３は、本実施形態においては鋼板等の金属帯板が用いられ、それらは互いに溶接等で一体的に固着されている。
【０００８】
上記各格子プレート３は、枠用プレート２よりも薄い金属帯板が用いられ、その各格子プレート３の交差部は、図４に示すように互いに切欠き凹部３ａを係合させる、いわゆる相欠き結合をさせた上で溶接固定されている。また荷重負担の大きい枠体２の近傍の格子プレート３および枠体２の内面側には、それぞれ図３および図５に示すように要求される強度に応じて補強用プレート４、５が重ねて溶接してある。
【０００９】
上記枠体２の外周面には、図１および図３に示すようにスタッドジベル６が植設され、前記開口部Ａの内面にはスタッドジベル７を植設したベースプレート８がアンカー９等により取付けられている。その各スタッドジベル６，７は、開口部Ａの厚さ寸法に応じて１列もしくは複数列に並べて植設するもので、本実施形態は図２に示すようにそれぞれ２列ずつ設けた構成であるが、１列もしくは３列以上設けるようにしてもよい。
【００１０】
また上記スタッドジベル６，７は、本実施形態においては図１に示すように交互に食い違い状に配置される構成であり、それらのスタッドジベル６，７を埋め込むようにして、図２（ａ）および（ｂ）のように構造体１の周囲すなわち枠体２の外周面と開口部Ａの内面との間に無収縮モルタル等の充填材Ｇを充填することによって、上記構造体１を開口部Ａ内に嵌め込んだ状態で強固に固定することができるものである。
【００１１】
次に、上記のような耐震補強構造を施工するに当たっては、例えば以下の要領で施工すればよい。先ず、前記図３に示すような補強用構造体１を、施工すべき開口部の大きさ等に合わせて作製するもので、その構造体１を構成する部材の加工や組付けは、すべて工場等で行うことができる。
【００１２】
一方、施工すべき既設建築物の窓等の開口部Ａの内面には、図６に示すように予めスタッドジベル７を植設したベースプレート８をアンカー９等で固定する。本実施形態においては、上記開口部Ａの内面にドリル等により直径２６ｍｍの小孔を所定の間隔をおいて穿孔し、その各小孔内にアンカー固定用の薬液として直径２２ｍｍ、長さ２００ｍｍのモルタルカプセル（不図示）を挿入した後、異形鉄筋よりなる棒状のアンカー９を打ち込んで、上記カプセルを破壊すると共にカプセル中のモルタルでアンカー９を固定し、そのアンカー９を上記ベースプレート８に形成した孔に挿通すると共にアンカー９に形成した雄ねじにナット（不図示）をねじ込んで締め付け固定したものである。なお、従来公知の拡開式アンカーを用いる等その他適宜である。
【００１３】
上記のようにして開口部Ａの内面に、スタッドジベル７を植設したベースプレート８を固定した状態で、図７のように上記開口部Ａ内に前記の補強用構造体１を設置し、図に省略した位置決め固定手段によって所定の位置に位置決め固定する。次いで、前記図２のように上記スタッドジベル７と、補強用構造体１の枠体２に設けたスタッドジベル６とを埋め込むようにして、上記枠体２と開口部Ａの内面との間に無収縮モルタル等の充填材Ｇを充填すればよい。
【００１４】
上記のように本発明は、既設建築物の窓等の開口部Ａ内に補強用構造体１を嵌め込み固定し、その構造体１は枠体２内に多数の格子プレート３を斜め格子状に組み付けた構成であるから、格子プレート３が筋交いの役目をして充分な耐震強度が得られると共に、隣り合う格子プレート３・３間が開口した斜め格子状であるので美観や開放感に優れた耐震補強構造が得られるものである。
【００１５】
なお前記の枠体２と開口部Ａとの間には、必要に応じて補強用鉄筋を配筋してから充填材Ｇを充填してもよい。図８はその一例を示すもので、枠体２と開口部Ａとの間の空間の長手方向に軸筋１１を複数本、図の場合は４本配筋し、それらの軸筋１１を取り囲むようにしてフープ筋１２を、上記軸筋１１の長手方向に所定の間隔をおいて配筋したものである。特に、図の場合はフープ筋１２として半割状の割フープ筋を用いたもので、同図鎖線示のように開口部Ａの厚さ方向両側から割フープ筋１２を挿入してワイヤ１３等で連結固定すればよく、効率的な施工が可能となる。
【００１６】
さらに上記実施形態は、開口部Ａの内面側に、スタッドジベル７をベースプレート８に植設した状態で取付けるようにしたが、上記スタッドジベル７を開口部Ａの内面に直接取付けてもよく、あるいは上記スタッドジベル７の代わりに開口部Ａの内面側に突出するアンカー筋等を、該開口部内面に所定ピッチで打設するようにしてもよい。
【００１７】
【発明の効果】
以上説明したように本発明による耐震補強構造は、上記のように補強用構造体１を少なくとも枠体２と、その枠体２内に斜め格子状に組み付けた多数の格子プレート３とで構成したから、前記従来のＨ型鋼によるブレース材とほぼ同等の耐震強度を確保しながら、Ｈ型鋼の重苦しさがなく、美観および開放感に優れる。即ち、プレート材を用いることによって軽量感を確保し、また斜め格子は、１本１本のプレートが斜材として機能するのみならず、それらが連結された格子体によって地震時にかかる水平方向の力および鉛直方向の力の両方に対して任意に且つ効果的に耐震強度を確保することができる。また、プレート材の使用によって、従来のウエブとフランジからなるＨ型鋼のように各構成要素自体が嵩張ることがないので、開放感に優れ、意匠的にも耐震補強材としての重々しさがなく美観に優れた補強構造が得られる等の効果がある。
【図面の簡単な説明】
【図１】本発明による耐震補強構造の一実施形態を示す正面図。
【図２】（ａ）および（ｂ）は図１におけるａ−ａ、ｂ−ｂ線断面図。
【図３】（ａ）は上記の耐震補強構造に用いた補強用構造体の正面図。（ｂ）はその側面図。
【図４】（ａ）および（ｂ）は格子プレートの組付構造を示す説明図。
【図５】（ａ）は上記補強用構造体の一部の拡大図。（ｂ）および（ｃ）は（ａ）におけるｂ−ｂ、ｃ−ｃ線断面図。
【図６】開口部内にスタッドジベルを取付けた状態の正面図。
【図７】開口部内に補強用構造体を組付けた状態の正面図。
【図８】開口部と補強用構造体との間に補強用鉄筋を組み付けた例の断面図。
【図９】（ａ）および（ｂ）は従来の耐震補強構造の一例を示す説明図。
【符号の説明】
１　補強用構造体
２　枠体
２ａ〜２ｄ　枠用プレート
３　格子プレート
４、５　補強用プレート
６、７　スタッドジベル
８　ベースプレート
９　アンカー
１１　軸筋
１２　ループ筋
Ｇ　充填材
【図１】
2004019161.tif 000003
【図２】
2004019161.tif 000004
【図３】
2004019161.tif 000005
【図４】
2004019161.tif 000006
【図５】
2004019161.tif 000007
【図６】
2004019161.tif 000008
【図７】
2004019161.tif 000009
【図８】
2004019161.tif 000010
【図９】
2004019161.tif 000011